(57)【要約】【課題】  嵌合凹溝を屋根梁の軒側水平部に対して軒側から嵌め込むことができ、これにより最も棟側に位置する屋根梁に対しても使用可能とすること。垂木に対して下方からの固定作業が可能となり、垂木への取付作業を大幅に改善すること。【課題手段】  屋根パネル１を屋根梁４に取り付けるための屋根用取付具５は、垂木３の下面３ａに対して下方Ｄから固定される垂木固定部６と、垂木固定部６の一端部６ｂ側から垂木３の一側面３ｂに沿って立ち上がる立ち上がり部７とが一体形成されている。立ち上がり部７に屋根梁４の軒側水平部４ａに対して軒側Ａから嵌め込まれる嵌合凹溝９を設けると共に、嵌合凹溝９の入口側に軒側水平部４ａを嵌合凹溝９内に誘導するための喇叭状開口１２を設けた。【選択図】        図１
2006037477.tif 000002
【特許請求の範囲】
【請求項１】
野地板に垂木を取り付けてパネル化した屋根パネルを上記垂木と直交方向に配置される屋根梁に取り付けるための屋根用取付具において、垂木の下面に対して下方から固定される垂木固定部と、垂木固定部の一端部側から垂木の一側面に沿って立ち上がる立ち上がり部とが一体形成され、立ち上がり部における垂木の下面よりも下方位置に、屋根梁の軒側に突出した軒側水平部に嵌め込まれる嵌合凹溝を設けると共に、嵌合凹溝の入口側に軒側水平部を嵌合凹溝内に誘導するための喇叭状開口を設けたことを特徴とする屋根用取付具。
【請求項２】
上記立ち上がり部と対向する第２の立ち上がり部を垂木固定部の他端部側から垂木の他側面に沿って立ち上げ、両立ち上がり部間で垂木を両側から挟み込むと共に、第２の立ち上がり部における垂木の下面よりも下方位置に、屋根梁の軒側水平部に載置される載置部を設けたことを特徴とする請求項１記載の屋根用取付具。
【請求項３】
上記立ち上がり部と対向する第２の立ち上がり部を垂木固定部の他端部側から垂木の他側面に沿って立ち上げ、両立ち上がり部間で垂木を両側から挟み込むと共に、第２の立ち上がり部における垂木の下面よりも下方位置に、立ち上がり部の嵌合凹溝及び喇叭状開口と対向する第２の嵌合凹溝及び喇叭状開口を設けたことを特徴とする請求項１記載の屋根用取付具。
【発明の詳細な説明】
【技術分野】
【０００１】
本発明は、屋根用取付具に関し、詳しくは、屋根パネルの垂木を屋根梁の軒側水平部に取り付けるための屋根用取付具に関するものである。
【背景技術】
【０００２】
従来、屋根パネルの垂木を母屋を構成する屋根梁に取り付けるにあたって、屋根用取付具の上部を垂木の側面方向から固定すると共に、屋根用取付具の下部に設けた嵌合凹溝を屋根梁の棟側に突出した棟側水平部に嵌め込むようにした屋根取り付け構造が知られている（例えば、特許文献１参照）。
【０００３】
しかしこの従来の屋根用取付具５’の嵌合凹溝９’は、図７（ａ）のように、屋根梁４の棟側水平部４ｂに対して棟側Ｂから嵌め込まれるため、例えば図７（ｂ）に示すような最も棟側Ｂに配置される屋根梁４の棟側水平部４ｂに対しては、図７（ａ）のような屋根用取付具５’は使用できないという問題があった。そのうえ、従来では屋根用取付具５’の垂木固定部６を屋根パネル１の垂木３の側面方向（図７（ｂ）の紙面に対して垂直方向）から釘１５で固定しているため、野地板２が妨げとなって釘打ち作業スペースが狭くなり、作業がしにくいという問題もある。
【０００４】
そこで、本発明者は本発明に至る過程で、図７（ｂ）に示す最も棟側Ｂに配置される屋根梁４に対して、軒側Ａから取り付け可能な屋根用取付具５”を考えた。
【０００５】
ところが、この屋根用取付具５”では、垂木３の下面３ａに対して下方Ｄから垂木固定部６を釘打ち固定する段階では、係止部３０は軒側水平部４ａの下面にまだ係止していない。このため、屋根用取付具５”を片方の手で支えながら、もう片方の手で釘打ち作業を行なわねばならず、１人作業がきわめて困難になるという問題がある。
【特許文献１】実開昭６３−１８７６２２号公報
【発明の開示】
【発明が解決しようとする課題】
【０００６】
本発明は上記の従来の問題点に鑑みて発明したものであって、嵌合凹溝を屋根梁の軒側水平部に対して軒側から嵌め込むことができ、これにより最も棟側に位置する屋根梁に対しても使用可能となり、しかも、垂木に対して下方からの固定作業が可能となり、垂木への取付作業を大幅に改善することができる屋根用取付具を提供することを課題とするものである。
【課題を解決するための手段】
【０００７】
前記課題を解決するために本発明は、野地板２に垂木３を取り付けてパネル化した屋根パネル１を上記垂木３と直交方向に配置される屋根梁４に取り付けるための屋根用取付具において、垂木３の下面３ａに対して下方から固定される垂木固定部６と、垂木固定部６の一端部６ｂ側から垂木３の一側面３ｂに沿って立ち上がる立ち上がり部７とが一体形成され、立ち上がり部７における垂木３の下面３ａよりも下方位置に、屋根梁４の軒側Ａに突出した軒側水平部４ａに嵌め込まれる嵌合凹溝９を設けると共に、嵌合凹溝９の入口側に軒側水平部４ａを嵌合凹溝９内に誘導するための喇叭状開口１２を設けたことを特徴としている。
【０００８】
このような構成とすることで、最も棟側Ｂに配置される屋根梁４に対しても本発明の屋根用取付具５を用いて屋根パネル１の取り付けが可能になる。しかも、垂木固定部６の固定作業を行なうときは屋根用取付具５は軒側水平部４ａに対して仮保持されるため、従来のように屋根用取付具５を片方の手で支えておく必要がなく、そのうえ、垂木３の下面３ａに対して下方Ｄから垂木固定部６の釘打ち固定が可能となるので、従来のように垂木３の側面から釘打ちする場合と異なり、釘打ち作業スペースが広がり、屋根用取付具５の取付作業が容易となる。
【０００９】
また、上記立ち上がり部７と対向する第２の立ち上がり部８を垂木固定部６の他端部６ｃ側から垂木３の他側面３ｃに沿って立ち上げ、両立ち上がり部７，８間で垂木３を両側から挟み込むと共に、第２の立ち上がり部８における垂木３の下面３ａよりも下方位置に、屋根梁４の軒側水平部４ａに載置される載置部１１を設けるのが好ましく、この場合、両立ち上がり部７，８間で垂木３を両側から挟み込むので、垂木３に対する屋根用取付具５の位置決め性能が向上し、さらに、第２の立ち上がり部８の載置部１１を軒側水平部４ａに載置することで、屋根梁４に対する屋根用取付具５の取り付けの安定性が良くなる。
【００１０】
また、上記立ち上がり部７と対向する第２の立ち上がり部８を垂木固定部６の他端部６ｃ側から垂木３の他側面３ｃに沿って立ち上げ、両立ち上がり部７，８間で垂木３を両側から挟み込むと共に、第２の立ち上がり部８における垂木３の下面３ａよりも下方位置に、立ち上がり部７の嵌合凹溝９及び喇叭状開口１２と対向する第２の嵌合凹溝９及び喇叭状開口１３を設けるのが好ましく、この場合、両立ち上がり部７，８間で垂木３を両側から挟み込むので、垂木３に対する屋根用取付具５の位置決め性能が向上し、さらに、第２の立ち上がり部８の第２の嵌合凹溝１０を軒側水平部４ａに嵌合させることによって、屋根梁４に対する屋根用取付具５の仮保持力がアップすると共に、屋根用取付具５の取り付けの安定性を、一層、向上させることができる。
【発明の効果】
【００１１】
本発明に係る屋根用取付具にあっては、屋根用取付具の嵌合凹溝を屋根梁の軒側水平部に対して軒側から嵌め込むことができるので、最も棟側に配置される屋根梁にも本発明の屋根用取付具を用いて屋根パネルが取り付け可能となり、しかも、屋根用取付具を屋根梁に対して仮保持できるので、屋根用取付具を従来のように片方の手で支えておく必要がなく、釘打ち固定を１人作業で容易に行なうことができ、そのうえ垂木固定部を垂木に固定する方向は、従来のように垂木の側面方向からではなく、垂木の下面方向からであるので、作業スペースが広がり、屋根取付作業を能率的なものに改善できるものである。
【発明を実施するための最良の形態】
【００１２】
以下、本発明を添付図面に示す実施形態に基いて説明する。
【００１３】
本実施形態の屋根パネル１は、図４に示すように、上面が屋根面を構成する野地板２の下面に、軒棟方向に長い垂木３がケラバ方向に複数本配設されている。なお、図４の例では、最も棟側Ｂに位置する屋根梁４に対して本発明の屋根用取付具５を使用し、それ以外の屋根梁４においては従来例（図７（ａ））で説明した屋根用取付具５’を使用しているが、勿論、すべての屋根梁４に対して本発明の屋根用取付具５が使用可能である。
【００１４】
母屋を構成する屋根梁４は、垂木３と直交方向に配置されて、屋根パネル１の重量を支える長尺状のＩ型鋼等の鉄骨梁で構成されている。屋根梁４は屋根の勾配に合わせた位置に複数本、横架されており、屋根梁４と垂木３との交差部が屋根用取付具５を介して互いに連結固定されるようになっている。
【００１５】
ここで、本発明に係る屋根用取付具５は、耐荷重性に優れた金属材料からなり、垂木３の下面３ａに固定される複数の釘孔６ａを有する垂木固定部６と、垂木固定部６の一端部６ｂ側から垂木３の一側面３ｂに沿って立ち上がる立ち上がり部７（以下、「第１の立ち上がり部７」という。）とが一体形成されている。なお図２は屋根用取付具５の展開図を示し、図３（ａ）〜（ｄ）は正面図、平面図、右側面図、左側面図を示している。
【００１６】
上記第１の立ち上がり部７は、図３に示すように、垂木固定部６の一端部６ｂ側から下方に垂下する垂下片７ａと、垂下片７ａに連なって垂木３の一側面３ｂに向かって立ち上がる立ち上がり片７ｂとからなり、立ち上がり片７ｂにおける垂木３の下面３ａよりも下方位置に、屋根梁４の軒側Ａに突出した軒側水平部４ａに嵌め込まれる嵌合凹溝９が形成されている。嵌合凹溝９は、垂木固定部６を含む面に対して所定の角度θ１（図３（ｃ））で傾斜していると共に、この角度θ１は、垂木３の下面３ａに対する軒側水平部４ａの傾斜角度θ（図４）よりも若干小さく設定される。その理由は、嵌合凹溝９を軒側水平部４ａに嵌合させた状態で、垂木固定部６を垂木３の下面３ａに押し付けて仮保持できるようにするためである。これにより、嵌合凹溝９は、屋根用取付具５を軒側水平部４ａに対して取り付ける本来の機能に加えて、屋根用取付具５を軒側水平部４ａに対して仮保持する機能を併せ持っている。
【００１７】
上記嵌合凹溝９の入口側には、軒側水平部４ａを嵌合凹溝９内に誘導するための喇叭状開口１２が設けられている。この喇叭状開口１２は、嵌合凹溝９を軒側水平部４ａに嵌め込む際に、嵌合凹溝９よりも先に軒側水平部４ａに当たって、軒側水平部４ａを嵌合凹溝９内にガイドする働きをする。
【００１８】
また本例では、第１の立ち上がり部７と対向する第２の立ち上がり部８が垂木固定部６の他端部６ｃ側から垂木３の他側面３ｃに沿って立ち上がっており、これら両立ち上がり部７，８の間で図１（ｂ）のように垂木３の両側面３ｂ，３ｃを両側から挟み込むようにしている。さらに第２の立ち上がり部８の下辺８ａ（図２）の延長線上には、屋根梁４の軒側水平部４ａ上に載置される載置部１１が連設されれていると共に、その先端側に載置部１１よりも若干大きな角度で傾斜するテーパーガイド１２’が形成されている。載置部１１は、図３に示すように、第１の立ち上がり部７の嵌合凹溝９と平行な方向に傾斜しており、テーパーガイド１２’は喇叭状開口１２の上辺と平行な方向に傾斜している。そして、嵌合凹溝９が軒側水平部４ａの所定位置に嵌め込まれるときに、テーパーガイド１２’が最初に軒側水平部４ａの別の位置に当たり、その後、載置部１１がスライドしながら軒側水平部４ａ上に載置されるようになっている。
【００１９】
上記構成の屋根用取付具５の使用例を説明する。先ず、屋根用取付具５を屋根梁４よりも軒側Ａに配置し、嵌合凹溝９の喇叭状開口１２を軒側水平部４ａに位置合わせした状態で、ハンマー等で屋根用取付具５を棟側Ｂに向かって打ち込む。これにより、軒側水平部４ａの向きと嵌合凹溝９の向きとが一致しなくとも、喇叭状開口１２によって嵌合凹溝９を軒側水平部４ａに嵌め込み可能となる。つまり屋根用取付具５を図４の矢印方向イに向けてハンマーで打ち込むと、図４の実線で示すように垂木固定部６は垂木３の下面３ａから浮いた状態から、図４の仮想線で示すように垂木３の下面３ａに圧接した仮保持状態へと移行する。またこのとき屋根用取付具５全体が軒側水平部４ａを支点にして矢印方向Ｅに回動しながら、嵌合凹溝９が軒側水平部４ａに嵌まり込むようになる。その後、垂木固定部６を垂木３の下面３ａに対して下方Ｄから釘打ち固定する。
【００２０】
しかして、屋根用取付具５の嵌合凹溝９を軒側Ａから軒側水平部４ａに嵌め込むことができるので、最も棟側Ｂに配置される屋根梁４に対しても屋根用取付具５は使用可能となる。しかも、従来のように垂木３の側面方向から釘固定するのではなく、垂木３の下面３ａに対して下方Ｄから釘固定できるので、釘打ち作業スペースが広がる。そのうえ、垂木固定部６の釘打ち作業中は、屋根用取付具５は軒側水平部４ａに対して仮保持されているため、従来のように屋根用取付具５を片方の手で支えておく必要がなく、釘打ちを１人作業で行なうことができ、作業改善を図ることができる。
【００２１】
さらに、第１の立ち上がり部７と第２の立ち上がり部８とで垂木３を両側から挟み込むようにしたので、垂木３に対する屋根用取付具５の位置決め性能が向上し、これにより垂木固定部６を垂木３の下面３ａの釘位置からずれないようにして釘打ち作業ができるので、釘打ちミスを未然に防止でき、そのうえ、第２の立ち上がり部８に設けた載置部１１を軒側水平部４ａに載置することによって、屋根梁４に対する屋根用取付具５の取り付けの安定性が一層良くなるという利点もある。
【００２２】
図５及び図６は、他の実施形態の屋根用取付具５Ａを示している。本例では、第１の立ち上がり部７と対向する第２の立ち上がり部８を垂木固定部６の他端部６ｃ側から垂木３の他側面３ｃに沿って立ち上げ、両立ち上がり部７，８間で垂木３を両側から挟み込む点は図１〜図３の実施形態と同様であるが、第２の立ち上がり部８における垂木３の下面３ａよりも下方位置に、第１の立ち上がり部７の嵌合凹溝９及び喇叭状開口１２とそれぞれ対向する第２の嵌合凹溝９及び喇叭状開口１３を設けたものである。ここでは図５に示すように、両立ち上がり部７、８は、図５の展開図に示すように、垂木固定部６を挟んで左右対称形状をしている。従って、前記実施形態と同様、両立ち上がり部７，８間で垂木３を両側から挟み込むので、垂木３に対する屋根用取付具５の位置決め性能が向上する効果が得られるうえに、第２の立ち上がり部８の第２の嵌合凹溝１０を軒側水平部４ａに嵌合させることで、取付剛性が確保されて屋根梁４に対する屋根用取付具５の仮保持力がアップし、さらに屋根用取付具５の取り付けの安定性を、より一層、向上させることができる。
【図面の簡単な説明】
【００２３】
【図１】本発明の一実施形態の屋根用取付具の使用例を示し、（ａ）は屋根用取付具を用いて屋根パネルを屋根梁に取り付けた状態を説明する側面図、（ｂ）は正面図である。
【図２】同上の屋根用取付具の展開図である。
【図３】（ａ）〜（ｄ）は同上の屋根用取付具の正面図、平面図、右側半分の断面図、左側半分の断面図である。
【図４】同上の屋根用取付具の施工開始時の説明図である。
【図５】他の実施形態の屋根用取付具の展開図である。
【図６】（ａ）〜（ｄ）は図５の屋根用取付具の正面図、平面図、右側半分の断面図、左側半分の断面図である。
【図７】（ａ）は従来の屋根用取付具の使用状態の説明図、（ｂ）は他の従来の屋根用取付具の使用状態の説明図である。
【符号の説明】
【００２４】
１  屋根パネル
２  野地板
３  垂木
３ａ  下面
３ｂ  一側面
３ｃ  他側面
４  屋根梁
４ａ  軒側水平部
５  屋根用取付具
６  垂木固定部
６ｂ  一端部側
６ｃ  他端部
７  立ち上がり部
８  第２の立ち上がり部
９  嵌合凹溝
１０  第２の嵌合凹溝
１１  載置部
１２  喇叭状開口
１３  喇叭状開口
Ａ  軒側
Ｂ  棟側
Ｄ  下方
【図１】
2006037477.tif 000003
【図２】
2006037477.tif 000004
【図３】
2006037477.tif 000005
【図４】
2006037477.tif 000006
【図５】
2006037477.tif 000007
【図６】
2006037477.tif 000008
【図７】
2006037477.tif 000009